(57)【特許請求の範囲】
【請求項１】
スイッチケースから突出するカプラー端子と、これを略筒状に囲むようにスイッチケースと一体に形成された結合壁とを備えたカプラーにおいて、前記結合壁で囲まれた空間内にカプラー端子を設けない増設スペースを設け、この増設スペース内へ、増設端子とこれを保持する増設ベースからなる別体の増設部材を着脱自在に嵌合取付するとともに、増設端子へ接続するコードの導出部を前記結合壁に設け、
前記スイッチケースの底部は、前記カプラー端子の突出方向を下にしたとき、予めカプラー端子が一体に設けられている下段部と、これより高い位置で増設スペースの上方を囲む上段部とからなる段差状をなし、
前記増設部材の取付時に、前記増設ベースが前記下段部と同じ高さになるよう位置決めされ、前記増設ベースと上段部の間に、前記コードに接続する前記増設端子の結線部を突出させる空間を確保する、ことを特徴とする増設式カプラー。
【請求項２】
前記結合壁は前記増設部材を嵌合取付するためのスリットを備え、前記コードの導出部を、前記スリットのうち、前記上段部と前記増設ベース間における部分としたことを特徴とする請求項１の増設式カプラー。
【発明の詳細な説明】
【０００１】
【発明の属する技術分野】
この出願は、スイッチケースと一体に形成され、かつ端子を増設自在にしたカプラーに関する。
【０００２】
【従来の技術】
スイッチケースから突出するカプラー端子と、これを略筒状に囲む結合壁を備えた、スイッチケース一体のカプラーは公知である。
【０００３】
【発明が解決しようとする課題】
ところで、上記従来例のようなスイッチケースと一体に形成されたカプラーにおいては、カプラー端子がスイッチケースから突出しているため、仮にこのカプラー内へカプラー端子を増設しようとすれば、この増設端子もスイッチケース内へ入れなければならないが、このようなスイッチケースと別回路のカプラー端子を増設することは困難である。そこで本願発明は端子の増設を自在にできる増設式カプラーの提供を目的とする。
【０００４】
【課題を解決するための手段】
上記課題を解決するため本願発明に係る増設式カプラーは、スイッチケースから突出するカプラー端子と、これを略筒状に囲むようにスイッチケースと一体に形成された結合壁とを備えたカプラーにおいて、前記結合壁で囲まれた空間内にカプラー端子を設けない増設スペースを設け、この増設スペース内へ、増設端子とこれを保持する増設ベースからなる別体の増設部材を着脱自在に嵌合取付するとともに、増設端子へ接続するコードの導出部を前記結合壁に設け、
前記スイッチケースの底部は、前記カプラー端子の突出方向を下にしたとき、予めカプラー端子が一体に設けられている下段部と、これより高い位置で増設スペースの上方を囲む上段部とからなる段差状をなし、
前記増設部材の取付時に、前記増設ベースが前記下段部と同じ高さになるよう位置決めされ、前記増設ベースと上段部の間に、前記コードに接続する前記増設端子の結線部を突出させる空間を確保する、ことを特徴とする。
【０００５】
【発明の効果】
別体に構成された増設部材を結合壁内の増設スペースへ嵌合し、係合により着脱自在に取付ければ、簡単に端子を増設ができる。しかも、増設端子へ接続するコードの導出部を結合壁に設けたので、スイッチケースと一体に形成されたカプラーであっても、スイッチケースと関係のない回路のカプラー端子を容易に増設することができる。
【０００６】
【発明の実施の形態】
図１乃至図４に基づいて一実施例を説明する。図１は実施例に係るスイッチケースの断面図（図２の１−１線断面図）、図２はその底面図、図３は増設部材の取付状態図、図４は図３の４−４線断面図である。なお、本実施例では、カプラーを設けた側をスイッチケースの底部側とする。
【０００７】
これらの図において、スイッチケース１はスイッチ機構部２を備え、底部３は段差状をなして、スイッチ機構部２の下方で一段高い上方に位置する上段部４と、スイッチ機構部２の側方へ張り出す形で一段低くなった下段部５とを備える。
【０００８】
下段部５にはカプラー端子６が複数下方へ突出した状態で一体化されている。各カプラー端子６の他端はスイッチ機構部２の回路部と一端が接続する。これらのカプラー端子６を略筒状に囲む結合壁７が底部３から下方へ突出して一体に形成されている。
【０００９】
但し、この結合壁７はカプラー端子６が設けられていない上段部４の下方部分まで囲んでおり、この結合壁７に囲まれた上段部４の下方空間が増設スペース８となっている。
【００１０】
この増設スペース８には、増設部材１０が収容されている。増設部材１０は複数の増設端子１１と、これを一体に支持する増設ベース１２とで構成され、増設ベース１２は下段部５と同じ高さで結合壁７の内側へ支持され、かつ増設端子１１の先端もカプラー端子６の各先端と同じ高さになっている。
【００１１】
増設ベース１２は大略四辺形状をなし、その長辺側の対抗するヶ所に一対の爪１３が形成され、結合壁７の側壁に形成された係合穴（図示省略）へ係合するようになっている。
【００１２】
また、短辺側のうち、結合壁７内の中央側となる部分にも爪１４が形成され、上段部４と下段部５を連結する立壁部１５に形成された係合穴１６へ係合している。残りの短辺部には、ガイド部１７が形成され、結合壁７に形成された上下方向のスリット１８へ嵌合している。
【００１３】
増設ベース１２は、結合壁７内のコーナー部に設けられた棚部１９（図３）により上段部４側への押し込み位置が位置決めされ、増設ベース１２と上段部４との間に増設端子１１の結線部２０が突出する空間を確保している。
【００１４】
結線部２０は、この空間内でコード２１の一端部と接続し、このコード２１はスリット１８から外部へ導出されている。
【００１５】
図２は、スイッチケース１の底面側から見た結合壁７及びその内部構造を示し、カプラー端子６が最初から設けられている標準部２２と、当初はカプラー端子６が設けられていない増設スペース８とが図の左右へ分けて設けられていることが判る。
【００１６】
なお、増設スペース８内の仮想線は増設部材１０の取付状態を示し、符号２３は爪１３のガイド溝であり、結合壁７の側壁面に上下方向へ形成されている（図１参照）。
【００１７】
図３は増設スペース８内へ取付けられた状態の増設部材１０をスイッチケース１の下方から示す図であり、増設部材１０は仮想線で示す結合壁７の増設スペース８内へ嵌合される。
【００１８】
次に、本実施例の作用を説明する。まず、カプラー２５はスイッチケース１の底部３と、結合壁及びカプラー端子６により、標準状態のカプラー２５が構成され、これに増設部材１０を取付けると増設状態となる。
【００１９】
すなわち、予め、結線部２０にコード２１の芯線をハンダ付け等により接続した後、このコード２１をスリット１８内へ入れ、続いて、ガイド部１７をスリット１８へ、かつ爪１４をガイド溝２３へ入れて増設部材１０を上段部４へ向かって結合壁７の内部へ押し込む。
【００２０】
やがて、増設ベース１２が下段部５と同じ高さになると、棚部１９により位置決めされ、かつ爪１３が結合壁７の側壁に形成された係合穴１６へ係合することにより係合一体化され、増設端子１１はカプラー２５の端子となる。
【００２１】
このように結合壁７内に増設スペース８を設け、これに別体の増設部材１０を着脱自在に取付けることにより、増設端子１１を簡単に増設できるようになる。また、カプラー２５がスイッチケース１と一体型であっても、スイッチケース１の内部から増設端子１１を出さないですむため、スイッチケース１と関係ない回路のカプラー端子を増設することが可能になり、自由度の高い増設が可能になる。
【図面の簡単な説明】
【図１】実施例に係るスイッチケースの断面図（図２の１−１線断面図）
【図２】その底面図
【図３】増設部材の取付状態図
【図４】図３の４−４線断面図である。
【符号の説明】
１：スイッチケース、３：底部、４：上段部、５：下段部、６：カプラー端子、７：結合壁、８：増設スペース、１０：増設部材、１１：増設端子、１２：増設ベース、１３：爪、１４：爪
【図１】
0003883306.tif 000002
【図２】
0003883306.tif 000003
【図３】
0003883306.tif 000004
【図４】
0003883306.tif 000005